(57)【特許請求の範囲】
【請求項１】
直流電源の正極と負極との一方に接続される複数の第１電源接続端子と、前記直流電源の前記正極と前記負極との他方に接続される第２電源接続端子と、負荷回路と、複数の保護回路と、リセット回路とを備え、
前記負荷回路は、前記複数の第１電源接続端子が電気的に並列に接続される第１入力端子と、前記第２電源接続端子が電気的に接続される第２入力端子とを有し、
前記複数の第１電源接続端子と前記第１入力端子との間にそれぞれ前記複数の保護回路が設けられ、
前記複数の保護回路の各々は、対応する前記第１電源接続端子と前記第１入力端子との間に接続され前記対応する前記第１電源接続端子に正常な極性で前記直流電源が接続されるとオンになるスイッチング素子と、前記対応する前記第１電源接続端子と前記第１入力端子との間に正常な極性の電流を流すことが可能な向きで前記スイッチング素子に並列に接続された整流素子とを有し、
前記リセット回路は、前記複数の保護回路がそれぞれ有する複数の前記スイッチング素子を一時的にオフにするリセット動作を周期的に行うように構成されたことを特徴とする回路装置。
【請求項２】
前記複数の保護回路の各々は、当該保護回路が有する前記スイッチング素子にしきい値電圧を超える逆電圧が印加されると当該スイッチング素子をオンにする逆電圧保護回路を有することを特徴とする請求項１に記載の回路装置。
【請求項３】
前記リセット回路は、前記複数の第１電源接続端子のうちの１つのみに前記直流電源が接続されている場合は前記リセット動作を停止するように構成されたことを特徴とする請求項１又は２に記載の回路装置。
【請求項４】
前記リセット回路は、前記複数の前記スイッチング素子のうち少なくとも２つの前記スイッチング素子をそれぞれオフにする前記リセット動作のタイミングをずらすことを特徴とする請求項１〜３のいずれか１項に記載の回路装置。
【請求項５】
前記リセット回路は、前記複数の前記スイッチング素子にそれぞれ対応して設けられた複数の発振回路を有し、
前記リセット回路は、前記複数の発振回路がそれぞれ出力する発振信号に応じて、対応する前記スイッチング素子を一時的にオフにするリセット動作を周期的に行うように構成され、
前記複数の発振回路の各々は、対応する前記スイッチング素子が接続された前記第１電源接続端子から入力される電源電圧が最低動作電圧以下になると、対応する前記スイッチング素子をオフにする前記発振信号を出力した状態で発振動作を停止するように構成されたことを特徴とする請求項１〜４のいずれか１項に記載の回路装置。
【請求項６】
前記負荷回路は電圧変換回路を含み、
前記保護回路が前記スイッチング素子をオンにするための駆動電圧を、前記電圧変換回路を構成する回路部品に発生した電圧から得る補助電源回路を更に備えたことを特徴とする請求項１〜５のいずれか１項に記載の回路装置。
【請求項７】
前記複数の前記スイッチング素子にそれぞれ対応して複数の補助電源回路を更に備え、
前記複数の補助電源回路の各々は、対応する前記スイッチング素子が接続された前記第１電源接続端子に入力される電源電圧から動作電圧を得て、対応する前記スイッチング素子をオンにするための駆動電圧を前記保護回路に供給するように構成されたことを特徴とする請求項１〜５のいずれか１項に記載の回路装置。
【請求項８】
請求項１〜７のいずれか１項に記載の回路装置と、前記回路装置を収納するハウジングとを有し、
前記回路装置が備える前記負荷回路が、光源に電力を供給して前記光源を点灯させる電圧変換回路を含むことを特徴とする点灯装置。
【請求項９】
請求項８に記載の点灯装置と、前記点灯装置から供給される電力で点灯する前記光源とを備えたことを特徴とする車両。
【発明の詳細な説明】
【技術分野】
【０００１】
本発明は、回路装置、点灯装置、及びそれを用いた車両に関し、より詳細には、直流電源から電力が供給される回路装置、点灯装置、及びそれを用いた車両に関する。
【背景技術】
【０００２】
従来、直流電源から電力供給を受けて光源を点灯させる光源点灯回路であって、直流電源が逆極性で接続された場合に回路を保護する逆流防止部と、光源に駆動電流を供給する電流制御部とを備えた光源点灯回路が提案されていた（例えば特許文献１参照）。
【０００３】
特許文献１の光源点灯回路が備える逆流防止部は、それぞれスイッチを介して直流電源に接続される第１の制御端子及び第２の制御端子を備えている。電流制御部は、第１の制御端子及び第２の制御端子に接続される共通端子と、第１の制御端子に接続される切替端子とを有している。電流制御部は、共通端子に入力された直流電源電圧で動作し、光源に駆動電流を供給する。また、電流制御部は、切替端子に電圧が印加されているか否かに応じて、つまり第１の制御端子に直流電源電圧が印加されているか否かに応じて、光源に供給する駆動電流を変化させ、それによって光源の明るさを変化させている。
【０００４】
ここで、逆流防止部は、第１の制御端子と共通端子との間に接続された第１のＰチャネルＦＥＴと、第２の制御端子と共通端子との間に直列に接続された第２のＰチャネルＦＥＴ及びダイオードを備えている。
【０００５】
第１の制御端子に直流電源電圧が入力された場合、第１のＰチャネルＦＥＴがオン状態、第２のＰチャネルＦＥＴがオフ状態になり、第１のＰチャネルＦＥＴを介して電流制御部に直流電源電圧が入力される。第１の制御端子に直流電源電圧が入力されず、第２の制御端子に直流電源電圧が入力された場合、第２のＰチャネルＦＥＴがオン状態になり、第２のＰチャネルＦＥＴとダイオードとを介して電流制御部に直流電源電圧が入力される。また、第１の制御端子又は第２の制御端子に逆極性の直流電源電圧が入力された場合、第１のＰチャネルＦＥＴ、第２のＰチャネルＦＥＴがオフ状態になるとともに、ダイオードにより電流制御部の保護を図っている。
【先行技術文献】
【特許文献】
【０００６】
【特許文献１】特開２０１２−３８４９６号公報
【発明の概要】
【発明が解決しようとする課題】
【０００７】
特許文献１に記載された光源点灯回路では、第１の制御端子に直流電源電圧が入力されず、第２の制御端子に直流電源電圧が入力された場合、第２のＰチャネルＦＥＴとダイオードとを介して電流制御部に直流電源電圧が入力される。一般に、ダイオードの順方向電圧はＰチャネルＦＥＴのオン電圧よりも高いため、第１の制御端子に直流電源電圧が入力されずに第２の制御端子に直流電源電圧が入力された場合は、第１の制御端子に直流入力された場合に比べて大きな損失が発生する。
【０００８】
本発明は上記課題に鑑みてなされ、直流電源が逆極性で接続された場合の保護機能を低損失で実現できる回路装置、点灯装置、車両を提供することを目的とする。
【課題を解決するための手段】
【０００９】
本発明の回路装置は、直流電源の正極と負極との一方に接続される複数の第１電源接続端子と、前記直流電源の前記正極と前記負極との他方に接続される第２電源接続端子と、負荷回路と、複数の保護回路と、リセット回路とを備え、前記負荷回路は、前記複数の第１電源接続端子が電気的に並列に接続される第１入力端子と、前記第２電源接続端子が電気的に接続される第２入力端子とを有し、前記複数の第１電源接続端子と前記第１入力端子との間にそれぞれ前記複数の保護回路が設けられ、前記複数の保護回路の各々は、対応する前記第１電源接続端子と前記第１入力端子との間に接続され前記対応する前記第１電源接続端子に正常な極性で前記直流電源が接続されるとオンになるスイッチング素子と、前記対応する前記第１電源接続端子から前記第１入力端子に電流が流れる向きで前記スイッチング素子に並列に接続された整流素子とを有し、前記リセット回路は、前記複数の保護回路がそれぞれ有する複数の前記スイッチング素子を一時的にオフにするリセット動作を周期的に行うように構成されたことを特徴とする。
【００１０】
本発明の点灯装置は、上記の回路装置と、前記回路装置を収納するハウジングとを有し、前記回路装置が備える前記負荷回路が、光源に電力を供給して前記光源を点灯させる電圧変換回路を含むことを特徴とする。
【００１１】
本発明の車両は、上記の点灯装置と、前記点灯装置から供給される電力で点灯する前記光源とを備えたことを特徴とする。
【発明の効果】
【００１２】
本発明の回路装置によれば、直流電源が逆極性で接続された場合の保護機能を低損失で実現できる、という利点がある。
【００１３】
本発明の点灯装置によれば、直流電源が逆極性で接続された場合の保護機能を低損失で実現できる、という利点がある。
【００１４】
本発明の車両によれば、直流電源が逆極性で接続された場合の保護機能を低損失で実現できる、という利点がある。
【図面の簡単な説明】
【００１５】
【図１】実施形態１の点灯装置の回路図である。
【図２】実施形態１の点灯装置の別の形態を示す回路図である。
【図３】実施形態１の点灯装置のまた別の形態を示す回路図である。
【図４】実施形態２の点灯装置の回路図である。
【図５】実施形態２の点灯装置の別の形態を示す回路図である。
【図６】実施形態３の灯具の概略構成図である。
【図７】実施形態３の車両の外観斜視図である。
【発明を実施するための形態】
【００１６】
以下、本実施形態に係る回路装置を、車両（例えば自動車や自動二輪車など）の前照灯を点灯させる点灯装置に適用した実施形態について図面を参照して説明する。なお、回路装置の用途は点灯装置に限定されず、他の用途に適用してもよい。本発明は、以下の実施形態に限定されず、本発明に係る技術的思想を逸脱しない範囲であれば、設計等に応じて種々の変更が可能である。
【００１７】
（実施形態１）
図１に、実施形態１の回路装置１を用いた点灯装置４の回路図を示す。
【００１８】
本実施形態の回路装置１は、２つの第１電源接続端子ｔ１１，ｔ１２と、第２電源接続端子ｔ２１と、負荷回路１０と、保護回路２１，２２と、リセット回路３０とを備える。
【００１９】
本実施形態の回路装置１は、直流電源１００から供給される電力で、光源ブロック２Ａ，２Ｂを点灯させる点灯装置４である。直流電源１００は、例えばバッテリや、交流電源から入力される交流電圧を整流、平滑して直流電圧に変換する直流電源回路である。光源ブロック２Ａ，２Ｂの各々は、直列に接続された複数のＬＥＤ（Light Emitting Diode）３を備えている。なお、光源ブロック２Ａ，２Ｂは光源としてＬＥＤ３を備えるものに限定されず、ＬＥＤ以外の固体発光光源（例えばＬＥＤ以外のエレクトロルミネッセンス素子、例えば有機ＥＬ素子など）や白熱電球などを備えていてもよい。
【００２０】
直流電源１００の正極側出力は２つに分岐され、スイッチ１０１，１０２を介して第１電源接続端子ｔ１１，ｔ１２にそれぞれ接続されている。
【００２１】
第１電源接続端子ｔ１１は、保護回路２１が備えるスイッチング素子２１０を介して負荷回路１０の第１入力端子ｔ３１に電気的に接続されている。第１電源接続端子ｔ１２は、保護回路２２が備えるスイッチング素子２２０を介して第１入力端子ｔ３１に電気的に接続されている。また、第２電源接続端子ｔ２１は負荷回路１０の第２入力端子ｔ３２に電気的に接続されている。なお、第１電源接続端子ｔ１１，ｔ１２、第２電源接続端子ｔ２１、第１入力端子ｔ３１、及び第２入力端子ｔ３２は電線などを接続するための部品（端子）でもよく、例えば電子部品のリードや、回路基板に配線として形成された導電体の一部でもよい。
【００２２】
負荷回路１０は、電圧変換回路１１と、定電流回路１２，１３と、切替回路１４と、制御回路１５とを備えている。
【００２３】
電圧変換回路１１は、第１入力端子ｔ３１及び第２入力端子ｔ３２を介して入力される直流電圧を、あらかじめ設定された電圧値（負荷となる光源ブロック２Ａ，２Ｂを点灯させるのに必要な電圧値）の直流電圧に変換するＤＣ−ＤＣ変換回路である。
【００２４】
電圧変換回路１１の出力端には、定電流回路１２と光源ブロック２Ａとスイッチング素子１４１との直列回路と、定電流回路１３と光源ブロック２Ｂとスイッチング素子１４２との直列回路とが並列に接続されている。
【００２５】
切替回路１４は、光源ブロック２Ａ，２Ｂとそれぞれ直列に接続されたスイッチング素子１４１，１４２とを備える。スイッチング素子１４１，１４２は例えばＮチャネル型のＭＯＳＦＥＴ（Metal Oxide Semiconductor Field Effect Transistor）からなる。スイッチング素子１４１，１４２は、それぞれ、制御回路１５から入力される制御信号に応じてオン又はオフになる。スイッチング素子１４１がオンになると光源ブロック２Ａが点灯し、スイッチング素子１４１がオフになると光源ブロック２Ａが消灯する。同様に、スイッチング素子１４２がオンになると光源ブロック２Ｂが点灯し、スイッチング素子１４２がオフになると光源ブロック２Ｂが消灯する。
【００２６】
定電流回路１２は光源ブロック２Ａと直列に接続されており、光源ブロック２Ａに一定電流を流して、光源ブロック２Ａを点灯させる。定電流回路１３は光源ブロック２Ｂと直列に接続されており、光源ブロック２Ｂに一定電流を流して、光源ブロック２Ｂを点灯させる。なお、負荷回路１０は定電流回路１２，１３の代わりに電流フィードバック回路又は電流ミラー回路を備えてもよい。電流フィードバック回路又は電流ミラー回路が、スイッチング素子１４１，１４２に流れる電流の電流値に基づいて、スイッチング素子１４１，１４２のオン電圧を調整することで、光源ブロック２Ａ，２Ｂに流れる電流を定電流に制御してもよい。この場合は、光源ブロック２Ａ，２Ｂに定電流を流す回路のスイッチング素子と、光源ブロック２Ａ，２Ｂを点灯又は消灯させる切替回路１４のスイッチング素子とを同じスイッチング素子で兼用できる。
【００２７】
制御回路１５は、電圧変換回路１１及び切替回路１４の動作を制御する。制御回路１５は、第１電源接続端子ｔ１１，ｔ１２の電圧レベルを監視しており、第１電源接続端子ｔ１１，ｔ１２の電圧レベルから第１電源接続端子ｔ１１，ｔ１２に直流電源１００が接続されているか否かを検知する。
【００２８】
制御回路１５は、第１電源接続端子ｔ１１に直流電源１００の正極が接続されて、第１電源接続端子ｔ１１の電圧レベルがあらかじめ設定された基準電圧以上になると、スイッチング素子１４１をオンにして光源ブロック２Ａを点灯させる。制御回路１５は、第１電源接続端子ｔ１１の電圧レベルが基準電圧未満になると、スイッチング素子１４１をオフにして光源ブロック２Ａを消灯させる。同様に、制御回路１５は、第１電源接続端子ｔ１２に直流電源１００の正極が接続されて、第１電源接続端子ｔ１２の電圧レベルがあらかじめ設定された基準電圧以上になると、スイッチング素子１４２をオンにして光源ブロック２Ｂを点灯させる。制御回路１５は、第１電源接続端子ｔ１２の電圧レベルが基準電圧未満になると、スイッチング素子１４２をオフにして光源ブロック２Ｂを消灯させる。また、制御回路１５は、電圧変換回路１１の出力電圧の電圧値を所定値に制御する。
【００２９】
保護回路２１，２２は同様の回路構成を有しているので、保護回路２１の回路構成を説明し、保護回路２２については説明を省略する。
【００３０】
保護回路２１は、第１電源接続端子ｔ１１と第１入力端子ｔ３１との間に接続されたスイッチング素子２１０を備えている。このスイッチング素子２１０は、第１電源接続端子ｔ１１にドレイン電極が接続され、第１入力端子ｔ３１にソース電極が接続されたＰチャネル型のＭＯＳＦＥＴからなる。スイッチング素子２１０はＭＯＳＦＥＴで構成されているので、寄生ダイオード２１１を有しており、この寄生ダイオード２１１は第１電源接続端子ｔ１１から第１入力端子ｔ３１に電流が流れる向きに接続されている。スイッチング素子２１０のゲート電極とソース電極との間には、ツェナーダイオード２１２と抵抗２１３との並列回路が接続されている。スイッチング素子２１０のゲート電極とドレイン電極との間には、抵抗２１５とツェナーダイオード２１６との直列回路（逆電圧保護回路５１）が接続されている。スイッチング素子２１０のゲート電極は、抵抗２１４と、電圧判定回路２３のスイッチング素子２３０と、リセット回路３０のスイッチング素子３１０とを介して第２電源接続端子ｔ２１に電気的に接続されている。
【００３１】
また保護回路２１，２２はそれぞれ電圧判定回路２３，２４を備えている。電圧判定回路２３，２４は同様の回路構成を有しているので、電圧判定回路２３の回路構成を説明し、電圧判定回路２４については説明を省略する。
【００３２】
電圧判定回路２３はスイッチング素子２３０と抵抗２３１，２３２とを備える。抵抗２３１，２３２の直列回路は第１電源接続端子ｔ１１と第２電源接続端子ｔ２１との間に電気的に接続されている。スイッチング素子２３０は、ドレイン電極が抵抗２１４の一端に接続され、ソース電極がスイッチング素子３１０のドレイン電極に接続され、抵抗２３１と抵抗２３２との接続点にゲート電極が接続されたＮチャネル型のＭＯＳＦＥＴからなる。第１電源接続端子ｔ１１に直流電源１００が接続された状態では、スイッチング素子２３０はオンになり、第１電源接続端子ｔ１１に直流電源１００が接続されていない状態では、スイッチング素子２３０はオフになる。
【００３３】
リセット回路３０は、制御回路１５が備える発振回路１５０の発振信号に応じてオン又はオフになるスイッチング素子３１０を備えている。スイッチング素子３１０は、スイッチング素子２３０，２４０のソース電極にドレイン電極が接続され、第２電源接続端子ｔ２１にソース電極が接続されたＮチャンネル型のＭＯＳＦＥＴからなる。スイッチング素子３１０のゲート電極には発振回路１５０の発振信号が入力されており、発振信号の信号レベルがローになると、スイッチング素子３１０はオフになる。
【００３４】
次に、本実施形態の回路装置１の動作について説明する。
【００３５】
スイッチ１０１，１０２がオフの状態からスイッチ１０１がオンになり、第１電源接続端子ｔ１１に電源電圧が入力されると、まず寄生ダイオード２１１を介して電圧変換回路１１に電源電圧が印加され、電圧変換回路１１が動作を開始する。また、制御回路１５は、第１電源接続端子ｔ１１のみに電源電圧が印加されたと判断すると、光源ブロック２Ａを点灯させるのに必要な電圧を出力するように電圧変換回路１１を制御し、スイッチング素子１４１をオンにして、光源ブロック２Ａを点灯させる。また、第１電源接続端子ｔ１１又はｔ１２に電源電圧が印加されると、制御回路１５の発振回路１５０が発振動作を開始し、あらかじめ設定された周波数及びデューティ比の矩形波のパルス信号である発振信号を、スイッチング素子３１０のゲート電極に出力する。
【００３６】
また、第１電源接続端子ｔ１１に直流電源１００の電源電圧が入力されると、この電源電圧を抵抗２３１，２３２で分圧した電圧がスイッチング素子２３０のゲート電極に入力される。ここで、直流電源１００の電源電圧を抵抗２３１，２３２で分圧した電圧は、スイッチング素子２３０のしきい値電圧を上回るように、抵抗２３１，２３２の分圧比は設定されている。したがって、第１電源接続端子ｔ１１に直流電源１００の電源電圧が入力されると、スイッチング素子２３０はオンになる。
【００３７】
図１の回路装置１では、スイッチング素子３１０がＮチャネル型のＭＯＳＦＥＴで構成されており、スイッチング素子３１０のゲート電極に入力される発振信号の電圧レベルがハイであれば、スイッチング素子３１０がオンになる。スイッチング素子３１０がオンになると、スイッチング素子２１０のゲート電極には、第１入力端子ｔ３１の入力電圧を抵抗２１３，２１４で分圧した電圧が印加される。ここで、スイッチング素子２１０のゲート電極の電圧がソース電極の電圧よりも低下し、両者の電位差がしきい値電圧以上になると、スイッチング素子２１０はオンになる。そして、第１電源接続端子ｔ１１からの入力電流は、寄生ダイオード２１１に比べて導通電圧の低いドレイン−ソース間のチャネル部を流れるようになる。
【００３８】
スイッチング素子２１０のゲート電極とソース電極との間にはツェナーダイオード２１２が接続されている。第１入力端子ｔ３１に入力される電源電圧がツェナーダイオード２１２のツェナー電圧を超えると、ツェナーダイオード２１２が導通するので、スイッチング素子２１０のゲート電極とソース電極との間にツェナー電圧を超える電圧が印加されることはない。したがって、ツェナーダイオード２１２に、スイッチング素子２１０の耐電圧よりもツェナー電圧が低い素子を選定すれば、スイッチング素子２１０に耐電圧を超える電圧が印加されることはない。なお、直流電源１００の電源電圧の上限が低く、スイッチング素子２１０のゲート・ソース間の耐電圧を超えない場合は、ツェナーダイオード２１２をなくしてもよい。
【００３９】
その後、発振回路１５０から出力される発振信号のハイの期間が終了し、発振信号の電圧レベルがローになると、発振信号の電圧レベルがローになる間、リセット回路３０のスイッチング素子３１０がオフになる。スイッチング素子３１０がオフになると、抵抗２１３，２１４に流れる電流がほぼゼロになるため、スイッチング素子２１０のゲート・ソース間電圧がほぼゼロになり、スイッチング素子２１０がオフになる。なお、スイッチング素子２１０がオフになっても、第１電源接続端子ｔ１１からの入力電流は寄生ダイオード２１１を介して電圧変換回路１１に流れ続けるから、電圧変換回路１１に流れる入力電流が遮断されることはない。
【００４０】
その後、発振回路１５０から出力される発振信号の電圧レベルがハイになると、スイッチング素子３１０がオンになり、スイッチング素子２１０がオンになる。これにより、直流電源１００から、スイッチング素子２１０のドレイン−ソース間のチャネル部を介して電圧変換回路１１に入力電流が流れることになる。
【００４１】
また、スイッチ１０２がオンになり、第１電源接続端子ｔ１２に電源電圧が入力されると、保護回路２２は、保護回路２１と同様の動作を行い、スイッチング素子２２０を介して電圧変換回路１１に電源電圧が印加される。また、制御回路１５は、第１電源接続端子ｔ１２に電源電圧が印加されたことを検出すると、スイッチング素子１４２をオンにして、定電流回路１３から光源ブロック２Ｂに定電流を流し、光源ブロック２Ｂを点灯させる。
【００４２】
次に、スイッチ１０１，１０２が共にオンになり、第１電源接続端子ｔ１１，ｔ１２に電源電圧が入力されて、光源ブロック２Ａ，２Ｂが共に点灯している状態で、光源ブロック２Ｂを消灯させるためにスイッチ１０２がオフにされる場合の動作を以下に説明する。スイッチング素子３１０がオン、スイッチング素子２１０，２２０がオンの状態で、スイッチ１０２がオフになった場合、回路装置１は以下のように動作する。スイッチング素子２２０はオンになっているため、第１電源接続端子ｔ１１に入力された電源電圧がスイッチング素子２２０を介して第１電源接続端子ｔ１２に回り込み、電圧判定回路２４のスイッチング素子２４０はオンの状態を維持している。そのため、スイッチング素子２２０はオンの状態を維持し、第１電源接続端子ｔ１２の電圧レベルはハイになるので、制御回路１５は、スイッチ１０２がオフされたことを検出できず、光源ブロック２Ｂを点灯させ続ける。
【００４３】
その後、発振回路１５０から出力される発振信号のハイの期間が終了し、発振信号の電圧レベルがローになると、リセット回路３０のスイッチング素子３１０がオフになる。スイッチング素子３１０がオフになると、スイッチング素子２１０，２２０のゲート・ソース間電圧がほぼゼロになり、スイッチング素子２１０，２２０がオフになる。スイッチング素子２２０がオフになると、第１電源接続端子ｔ１２には電源電圧が入力されていないので、第１電源接続端子ｔ１２の電圧レベルは低下し、スイッチング素子２４０がオフになる。スイッチング素子２４０がオフになると、発振回路１５０から出力される発振信号の電圧レベルがハイになり、スイッチング素子３１０がオンになっても、第１電源接続端子ｔ１２に電源電圧が印加されていないから、スイッチング素子２２０はオフのままとなる。また、第１電源接続端子ｔ１２の電圧レベルはほぼゼロになり、制御回路１５は、第１電源接続端子ｔ１１に電源電圧が入力されていないと判断できるから、制御回路１５は光源ブロック２Ｂを消灯させる。なお、スイッチング素子２１０が一時的にオフになっても、第１電源接続端子ｔ１１には電源電圧が入力されているので、寄生ダイオード２１１を介して電流が流れ続け、光源ブロック２Ａは点灯状態を維持する。
【００４４】
上述のように、リセット回路３０がスイッチング素子２１０，２２０を一時的にオフにするリセット動作を周期的に行っているので、制御回路１５は第１電源接続端子ｔ１１，ｔ１２に電源電圧が入力されているか否かを確実に検出できる。したがって、制御回路１５は、第１電源接続端子ｔ１１又はｔ１２に電源電圧が入力されていない場合、対応する光源ブロック２Ａ，２Ｂを確実に消灯させることができる。
【００４５】
なお、制御回路１５が、第１電源接続端子ｔ１１，ｔ１２に入力電圧が印加されていない状態を検出するまでに、発振回路１５０の発振出力がハイからローに切り替わる時間に相応する遅延時間が発生する。本実施形態では発振回路１５０の発振周期が数ｍ秒から数十ｍ秒程度に設定されており、この程度の遅延時間であれば、消灯が遅れても照明用途の場合は実用上問題にはならない。
【００４６】
また、発振回路１５０から出力される発振信号の周波数は、第１電源接続端子ｔ１１，ｔ１２に電源電圧が入力されていない状態を検出するまでに許容される遅延時間の最大値に応じて設定されればよい。また、発振信号のハイの期間がローの期間に比べて長ければ、スイッチング素子２１０，２２０のオン時間がオフ時間よりも長くなり、寄生ダイオード２１１，２２１に電流が流れる時間が短くなるから、回路の損失を低減する面では好ましい。発振回路１５０から出力される発振信号のローの期間は、発振信号がハイからローに変化した時点から、保護回路２１，２２のスイッチング素子２１０，２２０がオフになるまでに必要とされる時間よりも長い時間に設定されるのが好ましい。ただし、発振回路１５０から出力される発振信号がローになる期間では、寄生ダイオード２１１，２２１に電流が流れるから、保護回路２１，２２での損失を低減するためには、発振信号がローになる期間は適度に短い時間に設定される方が好ましい。
【００４７】
また、本実施形態の回路装置１に直流電源１００が逆極性で接続された場合、スイッチング素子２１０，２２０のゲート電極の電圧とソース電極の電圧はほぼ同じ電圧となるため、スイッチング素子２１０，２２０がオンになることはない。また、スイッチング素子２１０，２２０が備える寄生ダイオード２１１，２２１も極性が逆向きであるから、寄生ダイオード２１１，２２１がオンになることはない。したがって、直流電源１００が逆極性で接続された場合には、保護回路２１，２２が電圧変換回路１１に入力電流を流さず、電圧変換回路１１を保護している。
【００４８】
ところで、保護回路２１，２２において、スイッチング素子２１０，２２０のゲート電極とドレイン電極との間には、カソードがゲート電極に接続されるようにしてツェナーダイオード２１６，２２６が設けられている。スイッチング素子２１０のドレイン・ソース間に耐電圧を超えるサージ電圧が逆方向に印加された場合、逆電圧保護回路５１のツェナーダイオード２１６がオンになり、抵抗２１３，２１５を介して電流を流している。スイッチング素子２２０のドレイン・ソース間に耐電圧を超えるサージ電圧が逆方向に印加された場合、逆電圧保護回路５２のツェナーダイオード２２６がオンになり、抵抗２２３，２２５を介して電流を流している。また、抵抗２１３，２２３の両端電圧がスイッチング素子２１０，２２０のしきい値電圧を超えると、スイッチング素子２１０，２２０がオンになる。これにより、サージ電圧のように負荷回路１０に印加される逆電圧が短時間であれば、スイッチング素子２１０，２２０のドレイン・ソース間に耐電圧を超えるサージ電圧が逆方向に印加された場合でも、スイッチング素子２１０，２２０を保護することができる。よって、スイッチング素子２１０，２２０に耐電圧がより低い素子を使用でき、スイッチング素子２１０，２２０の耐電圧を下げることでオン時の電圧を下げることができるから、スイッチング素子２１０，２２０の損失を低減できる。
【００４９】
例えば、ツェナーダイオード２１６のツェナー電圧をＶｚ１、スイッチング素子２１０のしきい値電圧をＶth1、抵抗２１３，２１４，２１５の抵抗値をＲ２１３，Ｒ２１４，Ｒ２１５とすると、スイッチング素子２１０がオンになる時の逆電圧Ｖｘは下記の式（１）で表される。
【００５０】
【数１】
0006531941.tif 000002
【００５１】
なお、サージ電圧を含めて逆電圧がスイッチング素子２１０，２２０の耐電圧を超えない場合には、保護回路２１，２２において逆電圧保護回路５１，５２は不要である。また、スイッチング素子２１０，２２０の耐電圧を超えないように、第１電源接続端子ｔ１１，ｔ１２と第２電源接続端子ｔ２１との間にサージ電圧を抑制する素子が接続されている場合にも、保護回路２１，２２に逆電圧保護回路５１，５２は不要である。
【００５２】
また、ノイズなどでスイッチング素子２１０，２２０が誤ってオフしないように、スイッチング素子２１０，２２０のゲート・ソース間にキャパシタが接続されていてもよい。ただし、スイッチング素子２１０，２２０のゲート・ソース間にキャパシタが接続されると、スイッチング素子２１０，２２０がオフになるまでの遅延時間が長くなるため、発振回路１５０から出力される発振信号のローの期間を長くする必要がある。
【００５３】
ところで、本実施形態のリセット回路３０は、スイッチング素子２１０，２２０のゲート・ソース間に接続された抵抗に流れる電流を遮断することで、スイッチング素子２１０，２２０を強制的にオフにしているが、リセット回路３０は上記の回路構成に限定されない。
【００５４】
図２にリセット回路３０の他の回路構成を示す。なお、リセット回路３０以外は図１に示す回路と同様であるので、共通する構成要素には同一の符号を付して、その説明は省略する。
【００５５】
図２に示すリセット回路３０は、制御回路１５が備える発振回路１５１の発振信号に応じてオン又はオフになるスイッチング素子３１１と、制御回路１５が備える発振回路１５２の発振信号に応じてオン又はオフになるスイッチング素子３１２とを備えている。
【００５６】
スイッチング素子３１１，３１２は例えばＮチャンネル型のＭＯＳＦＥＴからなる。スイッチング素子３１１のドレイン電極はスイッチング素子２３０のゲート電極に電気的に接続され、スイッチング素子３１１のソース電極はスイッチング素子２３０のソース電極に電気的に接続されている。スイッチング素子３１１のゲート電極には発振回路１５１から出力される矩形波の発振信号が入力されている。発振信号の信号レベルがハイになるとスイッチング素子３１１はオンになり、発振信号の信号レベルがローになるとスイッチング素子３１１はオフになる。
【００５７】
同様に、スイッチング素子３１２のドレイン電極はスイッチング素子２４０のゲート電極に電気的に接続され、スイッチング素子３１２のソース電極はスイッチング素子２４０のソース電極に電気的に接続されている。スイッチング素子３１２のゲート電極には発振回路１５２から出力される矩形波の発振信号が入力されている。発振信号の信号レベルがハイになるとスイッチング素子３１２はオンになり、発振信号の信号レベルがローになるとスイッチング素子３１２はオフになる。
【００５８】
ここで、発振回路１５１，１５２から出力される発振信号は、図１の回路装置１が備える発振回路１５０から出力される発振信号と、ハイ／ローの期間が反転したような信号となる。
【００５９】
また、発振回路１５１，１５２から出力される発振信号の周波数は、第１電源接続端子ｔ１１，ｔ１２に電源電圧が入力されていない状態を検出するまでに許容される遅延時間の最大値に応じて設定されればよい。また、発振信号のローの期間がハイの期間に比べて長ければ、スイッチング素子２１０，２２０のオン時間がオフ時間よりも長くなり、寄生ダイオード２１１，２２１に電流が流れる時間が短くなるから、回路の損失を低減する面では好ましい。発振回路１５１，１５２から出力される発振信号のローの期間は、発振信号がハイからローに変化した時点から、保護回路２１，２２のスイッチング素子２１０，２２０がオフになるまでに必要とされる時間よりも長い時間に設定されるのが好ましい。ただし、発振回路１５１，１５２から出力される発振信号がハイになる期間では、寄生ダイオード２１１，２２１に電流が流れるから、保護回路２１，２２での損失を低減するためには、発振信号がハイになる期間は適度に短い時間に設定される方が好ましい。
【００６０】
このように、制御回路１５は、保護回路２１，２２のそれぞれに対応して、保護回路２１，２２のスイッチング素子２１０，２２０を周期的にオフにするタイミングを決定する発振回路１５１，１５２を備えている。ここにおいて、発振回路１５１，１５２からそれぞれ出力される矩形波の発振信号は、スイッチング素子２１０，２２０がオフになる期間が互いに異なるように、位相をずらした発振信号であることが望ましい。これにより、スイッチング素子２１０，２２０は同じタイミングでオフにならず、スイッチング素子２１０，２２０の一方がオフになる場合にはオンの他方を通って入力電流が流れることになる。したがって、スイッチング素子２１０，２２０の寄生ダイオード２１１，２２１に流れる期間が減少するから、回路装置１の損失が低減される。
【００６１】
ところで、スイッチング素子２１０，２２０が発振回路１５１，１５２から入力される発振信号でオフになると、ＭＯＳＦＥＴからなるスイッチング素子２１０，２２０の寄生ダイオードに入力電流が流れ、短期間ではあるが損失が増加する。
【００６２】
電圧判定回路２３，２４は、対応する第１電源接続端子ｔ１１，ｔ１２に電源電圧が入力されているか否かを判定している。したがって、制御回路１５は、抵抗２３１，２３２の接続点の電位及び抵抗２４１，２４２の接続点の電位を監視することで、第１電源接続端子ｔ１１，ｔ１２に電源電圧が入力されているか否かを判定できる。そして、第１電源接続端子ｔ１１，ｔ１２のうちの１つだけに電源電圧が入力されていると制御回路１５が判定した場合、制御回路１５は、発振回路１５１，１５２の発振動作を停止させてもよい。発振回路１５１，１５２が発振動作を停止すると、リセット回路３０が、スイッチング素子２１０，２２０を強制的にオフにするリセット動作を停止する。第１電源接続端子ｔ１１，ｔ１２のうちの１つだけに電源電圧が入力されている場合は、電源電圧が入力されなくなった状態を確実に検知できるので、リセット動作を停止することで、リセット動作を行うことで発生する回路の損失を低減できる。
【００６３】
また、図１及び図２に回路図を示した回路装置１は、スイッチング素子２１０，２２０を周期的にオフにするタイミングを決定する発振回路１５０，１５１，１５２を制御回路１５が備えているが、保護回路２１，２２がそれぞれ発振回路を備えていてもよい。
【００６４】
例えば、図３に示すように、保護回路２１，２２が、スイッチング素子２１０，２２０を周期的にオフにするタイミングを決定する発振回路３５，３６をそれぞれ備えてもよい。
【００６５】
発振回路３５は、トランジスタ３５１，３５２、抵抗３５３，３５５、キャパシタ３５４，３５６などを用いた無安定マルチバイブレータ回路である。発振回路３５から出力されるパルス信号はスイッチング素子２３０のゲート電極に入力されている。この場合、スイッチング素子２３０のオフ期間は抵抗３５５とキャパシタ３５６とで決定され、スイッチング素子２３０のオン期間は抵抗３５３とキャパシタ３５４とで決定される。なお、発振回路３５は図示された無安定マルチバイブレータ回路に限定されず、他の発振回路でもよい。発振回路３６は発振回路３５と同様の回路構成を有しているので、発振回路３６の説明は省略する。
【００６６】
発振回路３５，３６は、保護回路２１，２２がそれぞれ接続されている第１電源接続端子ｔ１１，ｔ１２に入力される電源電圧から動作に必要な電圧を得ている。すなわち、第１電源接続端子ｔ１１，ｔ１２に電源電圧が入力されていなければ、発振回路３５，３６は発振動作を行わず、発振回路３５，３６の出力信号の信号レベルはローとなる。したがって、スイッチング素子２３０，２４０はオフになり、スイッチング素子２１０，２２０はオンにはならない。
【００６７】
第１電源接続端子ｔ１１，ｔ１２に直流電源１００から電源電圧が入力されると、発振回路３５，３６が発振動作を開始し、スイッチング素子２３０，２４０を周期的にオフにしており、これによってスイッチング素子２１０，２２０が周期的にオフになる。
【００６８】
よって、第１電源接続端子ｔ１１，ｔ１２に電源電圧が入力された状態で、第１電源接続端子ｔ１１，ｔ１２の一方に電源電圧が入力されなくなると、電源電圧が入力されなくなった第１電源接続端子に接続されたスイッチング素子２１０又は２２０をオフにできる。これにより、制御回路１５は、第１電源接続端子ｔ１１，ｔ１２の一方に電源電圧が入力されなくなったことを確実に検出できる。
【００６９】
以上説明したように、本実施形態の回路装置１は、複数の第１電源接続端子（第１電源接続端子ｔ１１，ｔ１２）と、第２電源接続端子ｔ２１と、負荷回路１０と、複数の保護回路（保護回路２１，２２）と、リセット回路３０とを備える。複数の第１電源接続端子は、直流電源１００の正極と負極との一方（本実施形態では正極）にそれぞれ接続され、第２電源接続端子ｔ２１は、直流電源１００の正極と負極との他方（本実施形態では負極）に接続される。負荷回路１０は、複数の第１電源接続端子が電気的に並列に接続される第１入力端子ｔ３１と、第２電源接続端子ｔ２１が電気的に接続される第２入力端子ｔ３２とを有する。複数の第１電源接続端子と第１入力端子ｔ３１との間にはそれぞれ複数の保護回路が設けられている。複数の保護回路（保護回路２１，２２）の各々は、スイッチング素子（スイッチング素子２１０，２２０）と、整流素子（寄生ダイオード２１１，２２１）とを有する。スイッチング素子（スイッチング素子２１０，２２０）は、対応する第１電源接続端子（第１電源接続端子ｔ１１，ｔ１２）と第１入力端子ｔ３１との間に接続される。スイッチング素子（スイッチング素子２１０，２２０）は、対応する第１電源接続端子（第１電源接続端子ｔ１１，ｔ１２）に正常な極性で直流電源１００が接続されるとオンになる。整流素子（寄生ダイオード２１１，２２１）は、対応する第１電源接続端子（第１電源接続端子ｔ１１，ｔ１２）と第１入力端子ｔ３１との間に正常な極性の電流を流すことが可能な向きでスイッチング素子（スイッチング素子２１０，２２０）に並列に接続されている。リセット回路３０は、複数の保護回路（保護回路２１，２２）がそれぞれ有する複数のスイッチング素子（スイッチング素子２１０，２２０）を一時的にオフにするリセット動作を周期的に行うように構成される。
【００７０】
保護回路２１，２２がスイッチング素子２１０，２２０と整流素子とで構成されており、第１電源接続端子ｔ１１，ｔ１２に正常な極性で直流電源１００が接続されるとスイッチング素子２１０，２２０がオンになるので、低損失の保護回路を実現できる。また、リセット回路３０がスイッチング素子２１０，２２０を周期的にオフにするから、電源電圧が入力されなくなった第１電源接続端子ｔ１１，ｔ１２に接続されているスイッチング素子２１０，２２０がオンし続ける可能性を低減できる。したがって、電源電圧が入力されなくなった第１電源接続端子ｔ１１，ｔ１２に接続されているスイッチング素子２１０，２２０がオフになることで、第１電源接続端子ｔ１１，ｔ１２に電源電圧が入力されているか否かを確実に判定することができる。
【００７１】
また、特許文献１の光源点灯回路では、第１及び第２の制御端子の一方のみから電力を供給しているが、本実施形態の回路装置１では、複数の第１電源接続端子から電力を供給することが可能なので、各々の第１電源接続端子に流れる電流値を低減できる。
【００７２】
本実施形態の回路装置１において、複数の保護回路（保護回路２１，２２）の各々は逆電圧保護回路（逆電圧保護回路５１，５２）を有しても良い。保護回路の各々が有する逆電圧保護回路は、当該保護回路が有するスイッチング素子（スイッチング素子２１０，２２０）にしきい値電圧を超える逆電圧が印加されると当該スイッチング素子をオンにする。
【００７３】
これにより、スイッチング素子２１０，２２０にしきい値電圧を超える逆電圧が印加される可能性が低減され、スイッチング素子２１０，２２０に耐電圧の低い素子を使用できる。
【００７４】
本実施形態の回路装置１において、リセット回路３０は、複数の第１電源接続端子（第１電源接続端子ｔ１１，ｔ１２）のうちの１つのみに直流電源１００が接続されている場合はリセット動作を停止してもよい。
【００７５】
リセット回路３０がリセット動作を行うと、スイッチング素子が一時的にオフになり、スイッチング素子に並列に接続された整流素子（寄生ダイオード２１１，２２１）に電流が流れるから、損失が増加する。１つの第１電源接続端子だけに電源電圧が入力されている状態で、その他全ての第１電源接続端子に電源電圧が入力されなくなると、電源電圧が入力されていない全ての保護回路のスイッチング素子がオフになるから、リセット動作を周期的に行う必要はない。したがって、リセット動作を停止することで、回路装置１の損失を低減できる。
【００７６】
また、リセット回路３０は、複数のスイッチング素子（スイッチング素子２１０，２２０）のうち少なくとも２つのスイッチング素子をそれぞれオフにするリセット動作のタイミングをずらしてもよい。これにより、あるスイッチング素子を強制的にオフにすると、オフにしたスイッチング素子に並列接続された整流素子より、オフしていない別のスイッチング素子に多くの入力電流が流れることになる。したがって、整流素子に比べて損失の小さいスイッチング素子に入力電流が流れるから、回路装置１の損失を低減できる。
【００７７】
また、リセット回路３０は、複数のスイッチング素子（スイッチング素子２１０，２２０）にそれぞれ対応して設けられた複数の発振回路（発振回路１５１，１５２）を有してもよい。リセット回路３０は、複数の発振回路がそれぞれ出力する発振信号に応じて、対応するスイッチング素子を一時的にオフとするリセット動作を周期的に行う。そして、複数の発振回路の各々は、対応するスイッチング素子が接続された第１電源接続端子（第１電源接続端子ｔ１１，ｔ１２）から入力される電源電圧が最低動作電圧以下になると、対応するスイッチング素子をオフにする発振信号を出力した状態で発振動作を停止してもよい。これにより、電源電圧が入力されていない第１電源接続端子に接続されているスイッチング素子に対応した発振回路を停止させることで、消費電力を低減できる。
【００７８】
また、本実施形態の点灯装置４は本実施形態で説明した回路装置１を備え、回路装置１が備える負荷回路１０が、光源（光源ブロック２Ａ，２Ｂ）に電力を供給して光源を点灯させる電圧変換回路１１を含むことを特徴とする。
【００７９】
これにより、直流電源の逆接続を保護する低損失の保護回路２１，２２を備えた点灯装置４を提供できる。また、複数の第１電源接続端子ｔ１１，ｔ１２に電源電圧が印加されているか否かを確実に判定できる点灯装置４を提供できる。
【００８０】
（実施形態２）
図４に、実施形態２の回路装置１を用いた点灯装置４の回路図を示す。なお、電圧変換回路１１、制御回路１５、保護回路２１，２２、補助電源回路４１以外の回路構成は、実施形態１の回路装置１と同様であるので、共通する構成要素には同一の符号を付して、その説明は省略する。
【００８１】
電圧変換回路１１は、フライバック・コンバータのようなスイッチング電源回路であり、コンデンサ１１１と、トランス１１２と、スイッチング素子１１３と、ダイオード１１４と、コンデンサ１１５とを備える。コンデンサ１１１は第１入力端子ｔ３１と第２入力端子ｔ３２との間に電気的に接続されている。コンデンサ１１１の両端間に、トランス１１２の１次巻線とスイッチング素子１１３とが直列に接続されている。スイッチング素子１１３はＮチャネル型のＭＯＳＦＥＴであり、トランス１１２の１次巻線の一端にスイッチング素子１１３のドレイン電極が接続され、第２入力端子ｔ３２にスイッチング素子１１３のソース電極が接続されている。また、トランス１１２の２次巻線の一端にはダイオード１１４のカソードが接続されており、ダイオード１１４のアノードとトランス１１２の２次巻線の他端との間にコンデンサ１１５が接続されている。そして、コンデンサ１１５の両端はそれぞれ電圧変換回路１１の出力端子に接続されている。スイッチング素子１１３のゲート電極には制御回路１５からＰＷＭ信号が入力されており、スイッチング素子１１３がＰＷＭ信号に応じてスイッチングすることで、入力電圧の電圧値を変換した直流電圧を発生する。
【００８２】
制御回路１５は、発振回路１５０と、コンパレータ１５３，１５４と、ＮＡＮＤゲート１５５，１５６と、基準電源１５７とを備えている。コンパレータ１５３は、第１電源接続端子ｔ１１の入力電圧と、基準電源１５７から出力される基準電圧との高低を比較する。コンパレータ１５４は、第１電源接続端子ｔ１２の入力電圧と、基準電源１５７から出力される基準電圧との高低を比較する。ＮＡＮＤゲート１５５には、発振回路１５０の発振信号（矩形波のパルス信号）と、コンパレータ１５３の出力信号とが入力されており、ＮＡＮＤゲート１５５の出力はスイッチング素子３１３のゲート電極に入力されている。ＮＡＮＤゲート１５６には、発振回路１５０の発振信号と、コンパレータ１５４の出力信号とが入力されており、ＮＡＮＤゲート１５６の出力はスイッチング素子３１４のゲート電極に入力されている。また、制御回路１５は、コンパレータ１５３，１５４の出力信号がハイになると、スイッチング素子１４１，１４２をオンにして光源ブロック２Ａ，２Ｂを点灯させる。制御回路１５は、コンパレータ１５３，１５４の出力信号がローになると、スイッチング素子１４１，１４２をオフにして光源ブロック２Ａ，２Ｂを消灯させる。
【００８３】
実施形態１では、保護回路２１，２２がそれぞれ備えるスイッチング素子２１０，２２０がＰチャネル型のＭＯＳＦＥＴであったが、本実施形態では、保護回路２１，２２がそれぞれ備えるスイッチング素子２１０，２２０がＮチャネル型のＭＯＳＦＥＴである。
【００８４】
Ｎチャネル型のＭＯＳＦＥＴの寄生ダイオードは、Ｐチャネル型のＭＯＳＦＥＴの寄生ダイオードと極性が逆向きになる。したがって、第１電源接続端子ｔ１１，ｔ１２にスイッチング素子２１０，２２０のソース電極が接続され、第１入力端子ｔ３１にスイッチング素子２１０，２２０のドレイン電極が接続されている。
【００８５】
スイッチング素子２１０のソース電極にはツェナーダイオード２１２のアノードが接続され、スイッチング素子２１０のゲート電極にはツェナーダイオード２１２のカソードが接続されている。スイッチング素子２１０のゲート電極にはツェナーダイオード２１６のアノードが接続されている。ツェナーダイオード２１６のカソードには抵抗２１５を介してダイオード２１８のカソードが接続され、ダイオード２１８のアノードはスイッチング素子２１０のドレイン電極に接続されている。また、スイッチング素子２１０のゲート電極は、抵抗２１７を介してスイッチング素子３１３のドレイン電極に接続されており、スイッチング素子３１３のソース電極は第２電源接続端子ｔ２１に接続されている。
【００８６】
同様に、スイッチング素子２２０のソース電極にはツェナーダイオード２２２のアノードが接続され、スイッチング素子２２０のゲート電極にはツェナーダイオード２２２のカソードが接続されている。スイッチング素子２２０のゲート電極にはツェナーダイオード２２６のアノードが接続されている。ツェナーダイオード２２６のカソードには抵抗２２５を介してダイオード２２８のカソードが接続され、ダイオード２２８のアノードはスイッチング素子２２０のドレイン電極に接続されている。また、スイッチング素子２２０のゲート電極は、抵抗２２７を介してスイッチング素子３１４のドレイン電極に接続されており、スイッチング素子３１４のソース電極は第２電源接続端子ｔ２１に接続されている。
【００８７】
補助電源回路４１は、トランス１１２の１次巻線とスイッチング素子１１３との接続点にアノードが接続されたダイオード４１１と、ダイオード４１１のカソードと第２入力端子ｔ３２との間に接続されたキャパシタ４１２を備えている。ダイオード４１１とキャパシタ４１２との接続点には抵抗４１３，４１４の一端が接続されている。抵抗４１３の他端は抵抗２１７を介してスイッチング素子２１０のゲートに接続され、抵抗４１４の他端は抵抗２２７を介してスイッチング素子２２０のゲートに接続されている。補助電源回路４１では、電圧変換回路１１のスイッチング動作時にスイッチング素子１１３に生じる電源電圧よりも高い電圧をダイオード４１１で整流した後、キャパシタ４１２で平滑している。そして、キャパシタ４１２の両端電圧は、抵抗４１３，２１７を介してスイッチング素子２１０のゲート電極に印加され、抵抗４１４，２２７を介してスイッチング素子２２０のゲート電極に印加される。
【００８８】
ここで、スイッチング素子２１０，２２０をオンにするためには、スイッチング素子２１０，２２０のゲート電極に、ソース電極の電圧に比べてしきい値電圧以上高い電圧を印加する必要がある。電圧変換回路１１がスイッチング動作を行っていれば、補助電源回路４１が電源電圧よりも高い電圧を出力しており、この電圧をスイッチング素子２１０，２２０の駆動電圧として利用することで、スイッチング素子２１０，２２０を確実に駆動することができる。
【００８９】
図４の回路装置１において、スイッチ１０１がオフの状態では、第１電源接続端子ｔ１１の電圧が基準電源１５７の基準電圧よりも低くなり、コンパレータ１５３の出力信号の電圧レベルがローになって、ＮＡＮＤゲート１５５の出力はハイになる。この場合、スイッチング素子３１３はオンになり、補助電源回路４１から入力される補助電源電圧はスイッチング素子２１０のゲート電極に印加されず、スイッチング素子２１０のゲート・ソース間電圧はほぼゼロになるので、スイッチング素子２１０がオフになる。
【００９０】
スイッチ１０１がオンになり、第１電源接続端子ｔ１１の電圧が基準電源１５７の基準電圧よりも高くなると、コンパレータ１５３の出力信号の電圧レベルがハイになる。ＮＡＮＤゲート１５５からは発振回路１５０から出力される発振信号のハイ／ローを反転させた反転信号が出力され、この反転信号に応じてスイッチング素子３１３のオン／オフが切り替わる。スイッチング素子３１３がオンになると、スイッチング素子２１０はオフになる。一方、スイッチング素子３１３がオフになると、補助電源回路４１の出力電圧が抵抗４１３，２１７を介してスイッチング素子２１０のゲート電極に印加され、ゲート電極の電位がしきい値電圧を超えるので、スイッチング素子２１０がオンになる。
【００９１】
したがって、第１電源接続端子ｔ１１に電源電圧が入力された場合には、ＮＡＮＤゲート１５５から出力される反転信号に応じてスイッチング素子３１３がオン／オフすることで、スイッチング素子２１０が周期的にオフになる。スイッチング素子２１０がオフになった場合でも、第１電源接続端子ｔ１１に電源電圧が入力されていれば、スイッチング素子２１０の寄生ダイオード２１１を介して電圧変換回路１１に入力電流が継続して流れることになる。
【００９２】
なお、スイッチ１０２がオンになった場合の保護回路２２の動作は保護回路２１の動作と同様であるので、その説明は省略する。
【００９３】
本実施形態の回路装置１では、光源ブロック２Ａ，２Ｂの点灯／消灯を判定する回路（コンパレータ１５３，１５４など）で、スイッチング素子２１０，２２０のオン／オフを判定する回路の一部を構成している。なお、光源ブロック２Ａ，２Ｂの点灯／消灯を判定する回路で、スイッチング素子２１０，２２０のオン／オフを判定する回路の一部を構成する回路構成は、他の実施形態の回路装置１にも適用が可能である。
【００９４】
また、本実施形態では、スイッチング素子２１０のドレイン・ゲート間に逆電圧保護回路５１とダイオード２１８とが直列に接続され、スイッチング素子２２０のドレイン・ゲート間に逆電圧保護回路５２とダイオード２２８とが直列に接続されている。ダイオード２１８，２２８は、スイッチング素子２１０，２２０のゲート電極に印加された駆動電圧によって逆電圧保護回路５１，５２に電流が流れるのを阻止する向きに設けられ、駆動電圧の低下を抑制してスイッチング素子２１０，２２０を確実にオンにする。なお、ダイオード２１８，２２８がなくても、十分に高いゲート電圧が得られるのであれば、ダイオード２１８，２２８を省略してもよい。
【００９５】
また、補助電源回路４１は、電圧変換回路１１のスイッチング時にスイッチング素子１１３に発生する電源電圧よりも高い電圧を整流、平滑する回路構成を示しているが、補助電源回路４１の回路構成は図４に示す回路構成に限定されない。例えば、補助電源回路４１は、電圧変換回路１１が備えるトランス１１２に設けられた補助巻線に発生する電圧を整流し、平滑するような電源回路でもよい。また、電圧変換回路１１の出力電圧が第１電源接続端子ｔ１１，ｔ１２に入力される電源電圧よりも高い場合には、補助電源回路４１が、電圧変換回路１１の出力電圧をそのままスイッチング素子２１０，２２０のゲート電極に印加するような回路であってもよい。また、補助電源回路４１は、別の電源から得た電圧をスイッチング素子２１０，２２０のゲート電極に印加するような回路であってもよい。
【００９６】
以上説明したように、負荷回路１０は電圧変換回路１１を含み、保護回路２１，２２がスイッチング素子２１０，２２０をオンにするための駆動電圧を、電圧変換回路１１を構成する回路部品に発生した電圧から得る補助電源回路４１を更に備えてもよい。
【００９７】
これにより、保護回路２１，２２がそれぞれ有するスイッチング素子２１０，２２０をオンにするための駆動電圧を発生する電源回路を別に用意する必要がないという利点がある。
【００９８】
また、図４に回路図を示した回路装置１では補助電源回路４１が２つの保護回路２１，２２の両方に駆動電圧を供給しているが、図５に示すように、２つの保護回路２１，２２にそれぞれ駆動電圧を供給する２つの補助電源回路４２，４３を備えてもよい。なお、図５に回路図を示した回路装置１は、制御回路１５、補助電源回路４２，４３以外は実施形態１の回路装置１と同様であるので、共通する構成要素には同一の符号を付して、その説明は省略する。
【００９９】
補助電源回路４２は、保護回路２１が接続された第１電源接続端子ｔ１１に入力される電源電圧を利用し、保護回路２１に対してスイッチング素子２１０を駆動するのに必要な駆動電圧を供給する。補助電源回路４３は、保護回路２２が接続された第１電源接続端子ｔ１２に入力される電源電圧を利用し、保護回路２２に対してスイッチング素子２２０を駆動するのに必要な駆動電圧を供給する。補助電源回路４２，４３はチャージポンプ回路を利用した倍電圧回路であり、電源電圧よりも高い電圧をスイッチング素子２１０，２２０のゲート電極に供給することができる。補助電源回路４２，４３は回路構成が共通しているので、補助電源回路４２について説明し、補助電源回路４３については説明を省略する。
【０１００】
補助電源回路４２は、スイッチング素子４２０と、キャパシタ４２１，４２２と、ダイオード４２３，４２４と、抵抗４２５，４２６とを用いたチャージポンプ方式の倍電圧回路である。第１電源接続端子ｔ１１には抵抗４２５の一端が接続されている。抵抗４２５の他端にはスイッチング素子４２０のドレイン電極が接続され、スイッチング素子４２０のソース電極が第２電源接続端子ｔ２１に接続されている。第１電源接続端子ｔ１１にはダイオード４２３のアノードが接続され、ダイオード４２３のカソードはキャパシタ４２２を介してスイッチング素子４２０のドレイン電極に接続されている。また、第１電源接続端子ｔ１１にはキャパシタ４２１の一端が接続され、キャパシタ４２１の他端にはダイオード４２４のカソードが接続され、ダイオード４２４のアノードはダイオード４２３のカソードに接続されている。そして、キャパシタ４２１とダイオード４２４との接続点が抵抗４２６，２１７を介してスイッチング素子２１０のゲート電極に接続されている。
【０１０１】
スイッチング素子４２０のゲート電極には、制御回路１５が備える発振回路１５８の発振信号が入力されている。スイッチング素子４２０は、発振回路１５８から入力される高周波の発振信号に応じてオン／オフする。スイッチング素子４２０がオンになると、ダイオード４２３を介してキャパシタ４２２に電流が流れることで、キャパシタ４２２が充電される。スイッチング素子４２０がオフになると、キャパシタ４２２が放電し、抵抗４２５、ダイオード４２４を介してキャパシタ４２１が充電される。スイッチング素子４２０がオン／オフを繰り返すことで、キャパシタ４２１は電源電圧とほぼ等しい電圧まで充電され、キャパシタ４２１と抵抗４２６との接続端の電圧は電源電圧に対してキャパシタ４２１の充電電圧分だけ高い電圧となる。
【０１０２】
ここで、リセット回路３０のスイッチング素子３１３が、制御回路１５の発振回路１５１から入力される発振信号に応じてオフになると、キャパシタ４２１の充電電圧が抵抗４２６，２１７を介してスイッチング素子２１０のゲート電極に入力される。このとき、スイッチング素子２１０がオンになり、スイッチング素子２１０を介して電圧変換回路１１に電源電圧が入力される。
【０１０３】
一方、リセット回路３０のスイッチング素子３１３がオンになると、スイッチング素子２１０のゲート電極の電圧はほぼゼロになり、スイッチング素子２１０はオフになる。なお、第１電源接続端子ｔ１１に電源電圧が入力されている場合は、スイッチング素子２１０の寄生ダイオード２１１がオンになり、寄生ダイオード２１１を介して電圧変換回路１１に電源電圧が供給される。
【０１０４】
ここで、リセット回路３０がスイッチング素子２１０をオフにする期間は、キャパシタ４２１の電圧がスイッチング素子２１０のしきい値電圧以下に低下するのに必要な時間よりも長くなるように、スイッチング素子３１３のオン期間は設定されていればよい。
【０１０５】
上述のように、回路装置１は、複数のスイッチング素子（スイッチング素子２１０，２２０）にそれぞれ対応して複数の補助電源回路（補助電源回路４２，４３）を更に備えてもよい。複数の補助電源回路の各々は、対応するスイッチング素子が接続された第１電源接続端子（第１電源接続端子ｔ１１，ｔ１２）に入力される電源電圧から動作電圧を得る。そして、複数の補助電源回路の各々は、対応するスイッチング素子をオンにするための駆動電圧を保護回路（保護回路２１，２２）に供給するように構成される。
【０１０６】
補助電源回路は、第１電源接続端子に入力される電源電圧から動作電圧を得ているので、第１電源接続端子に電源電圧が入力されていない場合はスイッチング素子を確実にオフにすることができる。
【０１０７】
上述の実施形態１，２では、保護回路２１，２２のスイッチング素子２１０，２２０がＭＯＳＦＥＴであったが、スイッチング素子２１０，２２０はＩＧＢＴ（Insulated Gate Bipolar Transistor）などのバイポーラトランジスタでもよい。ＩＧＢＴなどのバイポーラトランジスタは、ＭＯＳＦＥＴのように寄生ダイオードを備えていないので、スイッチング素子２１０，２２０がバイポーラトランジスタの場合には、スイッチング素子２１０，２２０と並列にダイオードが接続されていればよい。
【０１０８】
また、上述の実施形態１，２では、第１電源接続端子ｔ１１，ｔ１２の数が２つであったが、第１電源接続端子の数が３つ以上でもよい。
【０１０９】
さらに、上述の実施形態１，２では、負荷回路１０が光源を点灯させる点灯回路であったが、負荷回路１０は点灯回路に限定されず、光源以外の負荷を動作させるための回路でもよい。また、上述の実施形態１，２では、第１電源接続端子ｔ１１，ｔ１２に電源電圧が入力されているか否かに応じて点灯させる光源ブロック２Ａ，２Ｂを切り替えているが、出力レベルの切り替えや、点灯装置４の動作モードの切り替えなどを行ってもよい。
【０１１０】
また、実施形態１，２で開示した回路装置１の構成は一例であり、これに限定されない。本発明に係る技術的思想を逸脱しない範囲であれば、回路構成などは適宜変更が可能である。また、実施形態１，２で開示した回路装置１の制御回路１５はアナログ回路で実現されても良いし、ディジタル回路で実現されてもよいし、アナログ回路とディジタル回路とが混在した回路で実現されてもよい。また、制御回路１５の一部又は全ての機能を、マイコンがソフトウェアを実行することによって、実現されてもよい。
【０１１１】
なお、上述の実施形態１，２では、１つの第２電源接続端子が直流電源１００の負極に接続され、複数の第１電源接続端子が直流電源１００の正極に接続されており、複数の第１電源接続端子のそれぞれに保護回路が設けられているが、回路装置１は上記の構成に限定されない。すなわち、１つの第２電源接続端子（共通接続端子）が直流電源１００の正極に接続され、複数の第１電源接続端子が直流電源１００の負極に接続されており、複数の第１電源接続端子のそれぞれに保護回路が設けられてもよい。
【０１１２】
（実施形態３）
図６は、実施形態１又は２の回路装置１を用いた点灯装置４が組み込まれた照明装置（灯具）２００概略構成図である。
【０１１３】
本実施形態の照明装置２００は例えば車両３００に搭載される前照灯装置であり、照明装置２００を車体３０１に搭載した車両３００の外観図を図７に示す。
【０１１４】
照明装置２００のケース２０１は、一面が開口した箱型のボディ２０２と、ボディ２０２の開口に取り付けられた透光性のカバー２０３とを備えている。ボディ２０２の内部には２つの光源ブロック２Ａ，２Ｂが収納されている。光源ブロック２Ａ，２Ｂのうち、例えば光源ブロック２Ａは走行用前照灯（ハイビーム）用の光源であり、光源ブロック２Ｂはすれ違い前照灯（ロービーム）用の光源である。光源ブロック２Ａ，２Ｂはそれぞれ放熱構造体２０４，２０５に搭載されており、放熱構造体２０４，２０５は、アルミ合金などで、フィン形状を有するなど放熱に適した形状に形成されている。放熱構造体２０４，２０５にはそれぞれ反射部材２０６，２０７が取り付けられており、反射部材２０６，２０７はそれぞれ光源ブロック２Ａ，２Ｂの配光を制御する。また、ボディ２０２の下側には、実施形態１又は２で説明した回路装置１を収納したサブケース２０９が取り付けられている。サブケース２０９に収納された電圧変換回路１１と光源ブロック２Ａ，２Ｂとの間はリード線２０８を介して電気的に接続されている。
【０１１５】
回路装置１の第１電源接続端子ｔ１１，ｔ１２は、それぞれスイッチ１０１，１０２を介して直流電源１００（車両３００のバッテリ）の正極に接続されている。回路装置１の第２電源接続端子ｔ２１は直流電源１００の負極に接続されている。
【０１１６】
ここで、スイッチ１０１がオンになると光源ブロック２Ａに電源電圧が入力されて光源ブロック２Ａが点灯し、スイッチ１０２がオンになると光源ブロック２Ｂに電源電圧が入力されて光源ブロック２Ｂが点灯する。したがって、スイッチ１０１，１０２を前照灯の点灯／消灯だけでなくハイビームとロービームとの切り替えにも使用することができる。
【０１１７】
本実施形態の照明装置２００は、実施形態１又は２の点灯装置４と、点灯装置４が点灯させる光源（光源ブロック２Ａ，２Ｂ）と、点灯装置４及び光源を収納するケース２０１とを備える。
【０１１８】
これにより、直流電源の逆接続を保護する低損失の保護回路２１，２２を有する点灯装置４を備えた照明装置２００を提供できる。
【０１１９】
本実施形態の車両３００は、点灯装置４と、点灯装置４から供給される電力で点灯する光源（光源ブロック２Ａ，２Ｂ）とを備えたことを特徴とする。
【０１２０】
これにより、直流電源の逆接続を保護する低損失の保護回路２１，２２を有する点灯装置４を備えた車両３００を提供できる。また、複数の第１電源接続端子ｔ１１，ｔ１２にそれぞれ電源電圧が入力されているか否かを確実に判定でき、その判定結果に応じて光源ブロック２Ａ，２Ｂの状態を変更することが可能な点灯装置４を備えた車両３００を提供できる。
【符号の説明】
【０１２１】
１  回路装置
２Ａ，２Ｂ  光源ブロック（光源）
４  点灯装置
１０  負荷回路
１１  電圧変換回路
２１，２２  保護回路
３０  リセット回路
４１，４２，４３  補助電源回路
５１，５２  逆電圧保護回路
１００  直流電源
１５１，１５２  発振回路
２１０，２２０  スイッチング素子
２１１，２２１  寄生ダイオード（整流素子）
３００  車両
３０１  車体
ｔ１１，ｔ１２  第１電源接続端子
ｔ２１  第２電源接続端子
ｔ３１  第１入力端子
ｔ３２  第２入力端子
【図１】
0006531941.tif 000003
【図２】
0006531941.tif 000004
【図３】
0006531941.tif 000005
【図４】
0006531941.tif 000006
【図５】
0006531941.tif 000007
【図６】
0006531941.tif 000008
【図７】
0006531941.tif 000009